(57)【要約】【課題】包装紙が有している装飾性等を、非包装物（チュコレート，キャラメル等の内容物）を食した後にも活かすことができるようにしたマグネット具を提供する。【解決手段】正面側を包装紙Ｗで包んで背面側を磁性体にくっつけて使用するマグネット具１において、正面側が包装紙Ｗによって覆われるとともに、背面側に、包装紙Ｗの端部が折り込まれる周端縁１２ｅを有するマグネット具本体１０と、マグネット具本体１０との間に設けられた係合部Ｋを介してマグネット具本体１０に着脱され、装着時には周端縁１２ｅとの間に包装紙Ｗの端部を挟持するキャップ部材２０と、キャップ部材に設けられたマグネット保持部２３と、マグネット保持部２３に保持されたマグネット３０と、を備える。【選択図】図１
2012009666.tif 000002
【特許請求の範囲】
【請求項１】
正面側を包装紙で包んで背面側を磁性体にくっつけて使用するマグネット具において、
正面側が前記包装紙によって覆われるとともに、背面側に、前記包装紙の端部が折り込まれる周端縁を有するマグネット具本体と、
前記マグネット具本体との間に設けられた係合部を介して前記マグネット具本体に着脱され、装着時には前記周端縁との間に前記包装紙の端部を挟持するキャップ部材と、
前記キャップ部材に設けられたマグネット保持部と、
前記マグネット保持部に保持されたマグネットと、を備える、
ことを特徴とするマグネット具。
【請求項２】
前記マグネット保持部は、背面側から正面側に延びるとともに内側に前記マグネットが収納される筒状部と、前記筒状部の背面側において内側に向けて突設されて前記マグネットの背面側への脱落を防止するストッパと、を有する、
ことを特徴とする請求項１に記載のマグネット具。
【請求項３】
前記係合部は、前記マグネット具本体側から前記筒状部に沿って背面側に延びる１対の脚部と、前記脚部における背面側からそれぞれ外側に屈曲された係合爪と、前記キャップ部材に穿設されるとともに、前記係合爪を正面側から通過させた後、前記マグネット具本体に対して前記キャップ部材を回転させることで前記係合爪の抜けを禁止する係合孔と、を有する、
ことを特徴とする請求項２に記載のマグネット具。
【請求項４】
前記マグネット具本体は、前記包装紙によって包装されていた非包装物と略同形に形成されている、
ことを特徴とする請求項１ないし３のいずれか１項に記載のマグネット具。
【発明の詳細な説明】
【技術分野】
【０００１】
本発明は、チョコレート，キャラメル等の包装紙を装飾品として再利用することができるマグネット具に関する。
【背景技術】
【０００２】
チョコレート，キャラメル，ガム等の菓子類の包装紙には、購買者の購買欲をそそるような魅力的な文字や図柄や写真等の装飾が施されている。また、例えば、特許文献１に提案されているものは、１枚のチューインガムの包装紙の一面に、例えば「ＯＣＴＯＰＵＳ」といった英単語が記載され、他面には「タコ」というようにその和訳が記載されている。１枚のチューインガムの包装紙の一面と他面とは、同時に見ることができないから、購買者は、一方の面の英単語又は和訳を見て、他方の面の和訳又は英単語を考える。つまり、このチューインガムの包装紙は、学習の要素を持っていることになる。
【先行技術文献】
【特許文献】
【０００３】
【特許文献１】特開平８−１１６８８５号公報
【発明の概要】
【発明が解決しようとする課題】
【０００４】
しかしながら、チョコレート，キャラメル，ガム等の包装紙が上述のように装飾性を有していても、また、学習要素を持っていても、それらが機能するのは、一般に、購買時、あるいは購買者が包装紙を外してチョコレート，キャラメル，ガム等の内容物を食するまでの間であり、食した後は、捨てられることがほとんどである。
【０００５】
本発明は、上述した事情に鑑みてなされたものであり、包装紙が有している装飾性等を、内容物を食した後にも活かすことができるようにしたマグネット具を提供することを目的とするものである。
【課題を解決するための手段】
【０００６】
請求項１に係る発明は、正面側を包装紙で包んで背面側を磁性体にくっつけて使用するマグネット具において、正面側が前記包装紙によって覆われるとともに、背面側に、前記包装紙の端部が折り込まれる周端縁を有するマグネット具本体と、前記マグネット具本体との間に設けられた係合部を介して前記マグネット具本体に着脱され、装着時には前記周端縁との間に前記包装紙の端部を挟持するキャップ部材と、前記キャップ部材に設けられたマグネット保持部と、前記マグネット保持部に保持されたマグネットと、を備える、ことを特徴とする。
【０００７】
請求項２に係る発明は、請求項１に係るマグネット具において、前記マグネット保持部は、背面側から正面側に延びるとともに内側に前記マグネットが収納される筒状部と、前記筒状部の背面側において内側に向けて突設されて前記マグネットの背面側への脱落を防止するストッパと、を有する、ことを特徴とする。
【０００８】
請求項３に係る発明は、請求項２に係るマグネット具において、前記係合部は、前記マグネット具本体側から前記筒状部に沿って背面側に延びる１対の脚部と、前記脚部における背面側からそれぞれ外側に屈曲された係合爪と、前記キャップ部材に穿設されるとともに、前記係合爪を正面側から通過させた後、前記マグネット具本体に対して前記キャップ部材を回転させることで前記係合爪の抜けを禁止する係合孔と、を有する、ことを特徴とする。
【０００９】
請求項４に係る発明は、請求項１ないし３のいずれか１項に係るマグネット具において、前記マグネット具本体は、前記包装紙によって包装されていた非包装物と略同形に形成されている、ことを特徴とする。
【発明の効果】
【００１０】
請求項１の発明によれば、マグネット具本体の正面側を包装紙で覆い、包装紙の端部を周端縁で折り込み、さらに、係合部を介してマグネット具本体にキャップ部材を係合させることにより、マグネット具本体側の周端縁とキャップ部材とによって包装紙の端部を挟持して、包装紙を保持することができる。さらに、包装紙で包まれたマグネット具を、キャップ部材のマグネット保持部に保持されたマグネットにより、磁性体にくっつけることができる。これにより、例えば、鋼板で形成された冷蔵庫の扉や側面にマグネット具をくっつけて、包装紙を装飾品として使用することができる。あるいは、包装紙で包まれたマグネット具と冷蔵庫の扉や側面との間に、メモ等を挟んで保持することができる。
【００１１】
請求項２の発明によれば、マグネットを筒状部における背面側に保持することができるので、マグネットと磁性体との間隔を小さくして、磁性体に対して強力にくっつけることができる。
【００１２】
請求項３の発明によれば、マグネット具本体側の係合爪をキャップ部材側の係合孔に通過させた後に、回転させることで、マグネット具本体の周端縁に折り込まれた包装紙の端部を、周端縁とキャップ部材との間で挟持して保持することができる。
【００１３】
請求項４の発明によれば、マグネット具本体が非包装物（例えばチョコレート，キャラメル等の内容物）と略同形に形成されているので、マグネット具を包装紙で包んで磁性体にくっつけると、非包装物を食する前の包装紙で包まれた状態と略同じになり、あたかも、食する前のものがそのまま磁性体にくっついているように見えるので、興趣性をさらに高めることができる。また、マグネット具に対して包装紙のサイズが好適なものとなり、さらに、包装紙が非包装物に合わせてデザインされているので、この包装紙でマグネット具を包むと、そのデザインがマグネット具の形状にあったものとなる。
【図面の簡単な説明】
【００１４】
【図１】マグネット具１の分解斜視図である。
【図２】マグネット具本体１０を包装紙Ｗで包み、キャップ部材２０を取り外した状態を示す斜視図である。
【図３】マグネット具１を説明する図であり、（ａ）は正面側（前側）から見た斜視図、（ｂ）は背面側（後側）から見た斜視図、（ｃ）は上面図、（ｄ）は（ｃ）中のＡ−Ａ線矢視図、（ｅ）は側面図、（ｆ）は背面図である。
【図４】マグネット具本体１０を説明する図であり、（ａ）は正面側から見た斜視図、（ｂ）は上面図、（ｃ）は側面図、（ｄ）は背面図である。
【図５】キャップ部材２０を説明する図であり、（ａ）は正面側から見た斜視図、（ｂ）は正面図、（ｃ）は側面図、（ｄ）は背面図である。
【発明を実施するための形態】
【００１５】
以下、本発明の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００１６】
図１〜図５を参照して、本発明を適用した実施形態１のマグネット具１について説明する。ここで、図１は、マグネット具１の分解斜視図である。図２は、マグネット具本体１０を包装紙Ｗで包み、キャップ部材２０を取り外した状態を示す斜視図である。なお、同図では、包装紙Ｗの一部を破断している。図３は、マグネット具１を説明する図であり、（ａ）は正面側（前側）から見た斜視図、（ｂ）は背面側（後側）から見た斜視図、（ｃ）は上面図、（ｄ）は（ｃ）中のＡ−Ａ線矢視図、（ｅ）は側面図、（ｆ）は背面図である。図４は、マグネット具本体１０を説明する図であり、（ａ）は正面側から見た斜視図、（ｂ）は上面図、（ｃ）は側面図、（ｄ）は背面図である。図５は、キャップ部材２０を説明する図であり、（ａ）は正面側から見た斜視図、（ｂ）は正面図、（ｃ）は側面図、（ｄ）は背面図である。
【００１７】
図１に示すように、マグネット具１は、正面側（図１中では上側）に位置するマグネット具本体１０と、背面側（図１中では下側）に位置するキャップ部材２０と、マグネット３０と、スペーサ４０とを備えて構成されている。
【００１８】
マグネット具本体１０は、図１，図４に示すように、略正方形形状の前壁１１と、この前壁１１の４辺に接続された４つの側壁１２ａ，１２ｂ，１２ｃ，１２ｄとを有していて、全体としては、背面側が拡開された略正四角錐台状に形成されている。前壁１１の中心を通って、これに直交する線を中心軸Ｃとすると前壁１１には、中心軸Ｃを基準に対称な位置に、一対の略台形形状の透孔１１ｃ，１１ｃが、前壁１１の前面１１ａと後面１１ｂとを貫通するように穿設されている。これら透孔１１ｃ，１１ｃは、後述する一対の係合爪１５，１５を成形するための製造上の透孔であり、図４（ｂ），（ｄ）に示すように、係合爪１５，１５よりも少し大きく形成されている。前壁１１の後面１１ｂにおける中心には、背面側に向かって円筒状の本体側筒状部１３が突設されており、この本体側筒状部１３の背面側の端部（後端）からは、図２に示すように、背面側に向けて一対の脚部１４，１４が延設されている。さらに、脚部１４，１４における背面側の端部には、それぞれ外側に向かって屈曲された、略台形形状の一対の係合爪１５，１５が形成されている。一対の係合爪１５，１５は、それぞれの先端を側壁１２ａ，１２ｃに向けている。これら脚部１４，１４の内側の面は、本体側筒状部１３の内面に連続する円弧状に形成されている。また、図４（ｄ）に示すように、前壁１１の後面１１ｂにおける本体側筒状部１３の中心に、背面側に向けて円柱状のマグネット押さえ１６が突設されている。
【００１９】
前壁１１の４辺から拡開しながら後方に延びる４つの側壁１２ａ，１２ｂ，１２ｃ，１２ｄのそれぞれの背面側の端縁は、相互に接続されて、全体として略正方形形状の周端縁１２ｅを構成していて、その内側には開口部１２ｆが形成されている。
【００２０】
マグネット具本体１０は、図２に示すように、包装紙Ｗによって包まれ、包装紙Ｗはその端部が、側壁１２ａ〜１２ｄの周端縁１２ｅに沿って内側の開口部１２ｆに向けて折り込まれている。つまり、マグネット具本体１０は、前壁１１、４つの側壁１２ａ〜１２ｄが包装紙Ｗによって覆われる。ここで、マグネット具本体１０の形状は、その包装紙Ｗによって包まれていたチョコレートやキャラメル等の非包装物（内容物）と略同形に形成されているものとする。
【００２１】
キャップ部材２０は、図２に示すように、略正方形形状のベース板２１と、このベース板２１から正面側にくぼんだ略円板形状の係合板２２と、この係合板２２の中心から前後に延びる円柱状のマグネット保持部２３とを有している。
【００２２】
ベース板２１は、上述のマグネット具本体１０の側壁１２ａ〜１２ｄの周端縁１２ｅと同形の正方形形状に形成されていて、後述するように、係合部Ｋを介してマグネット具本体１０に係合された際に、マグネット具本体１０の周端縁１２ｅとの間に、包装紙Ｗの端部を挟持する。
【００２３】
係合板２２は、ベース板２１の中央部分を正面側に円形に窪ませたように形成されていて、中央に後述するマグネット保持部２３が設けられている。係合板２２には、マグネット保持部２３をはさんで、一対の係合孔２２ａ，２２ａが穿設されている。係合孔２２ａ，２２ａは、上述のマグネット具本体１０側の係合爪１５，１５と略同形で、これらよりも少し大きく形成されていて、これら係合爪１５，１５が中心軸Ｃに沿った方向に通過できるようになっている。係合孔２２ａ，２２ａには、さらに、回転溝２２ｂ，２２ｂが連続して形成されている。一対の係合孔２２ａ，２２ａは、それぞれの先端を前壁１１の対角線に沿った方向に向いている。回転溝２２ｂ，２２ｂは、後述するように、係合孔２２ａ，２２ａに係合爪１５，１５を通過させた後に、キャップ部材２０を回転させたときに、脚部１４，１４が移動するための溝である。この回転溝２２ｂ，２２ｂの端部には、脚部１４，１４がその回転時に当接されるストッパ２２ｃ，２２ｃが形成されていて、脚部１４，１４の回転限度を規制している。なお、係合板２２は、その一部２２ｄ，２２ｄがマグネット保持部２３の外周面に連結されている。
【００２４】
係合板２２は、図３（ｄ）に示すように、マグネット具本体１０にキャップ部材２０を係合させた際に、係合板２２の後面２２ｅに、マグネット具本体１０側の係合爪１５，１５の前面１５ａ側が係合されるようになっている。このとき、係合爪１５，１５の後面１５ｂ，１５ｂは、係合板２２が正面側に窪んでいるために、ベース板２１の後面２１ｂや口述するマグネット保持部２３のストッパ２３ｂよりも正面側に位置する。これにより、マグネット具１を磁性体にくっつけたときに、係合爪１５，１５の後面１５ｂ，１５ｂが磁性体に干渉するのを防止している。
【００２５】
マグネット保持部２３は、背面側から正面側に延びるとともに内側にマグネット３０が収納される筒状部２３ａと、この筒状部２３ａの背面側において内側に向けて突設されてマグネット３０の背面側への脱落を防止するストッパ２３ｂとを有している。
【００２６】
筒状部２３ａは、図５（ｂ）に示すように、内周面を４等分する位置のそれぞれに、凸部２３ｃが設けられていて、後述するマグネット３０の径方向の位置決めをしている。筒状部２３ａにおける最も背面側には、筒状部２３ａの内径を狭めるように、ストッパ２３ｂが形成されている。このストッパ２３ｂの、中心軸Ｃに沿った方向の位置は、図３（ｂ）に示すように、上述のベース板２１と略同じ位置に形成されている。これにより、筒状部２３ａ内に収納されるマグネット３０は、マグネット具１全体における、最も背面側に位置することになり、マグネット具１を、磁性体（例えば、冷蔵庫の扉）にくっつける際に、磁性体に近接させることができるので、強力にくっつけることが可能となる。
【００２７】
筒状部２３ａは、図３（ｄ）に示すように、マグネット具本体１０の一対の脚部１４，１４、及び本体側筒状部１３の内周面に、背面側から挿入されている。また、筒状部２３ａに内側には、正面側から、マグネット具本体１０のマグネット押さえ１６が進入している。
【００２８】
マグネット３０は、図１に示すように、円柱状に形成されていて、上述のキャップ部材２０の筒状部２３ａの内側に収納され、後面３０ｂをストッパ２３ｂに当接させている。マグネット３０の前面３０ａ側には、スペーサ４０が配設されている。
【００２９】
スペーサ４０は、円筒状に形成されていて、筒状部２３ａの内側における、マグネット３０の前面３０ａ側に配設されている。スペーサ４０は、その前面４０ａを、上述のマグネット具本体１０の背面側に配置されている。スペーサ４０は、その前面４０ａをマグネット具本体１０のマグネット押さえ１６によって背面側に押圧されており、これにより後面４０ｂをマグネット３０の前面３０ａに当接させている。
【００３０】
上述のマグネット具１においては、マグネット具本体１０に対してキャップ部材２０を係合させるための係合部Ｋは、マグネット具本体１０側の脚部１４，１４、係合爪１５，１５、キャップ部材２０側の係合板２２、係合孔２２ａ，２２ａ、回転溝２２ｂ，２２ｂ等によって構成されている。
【００３１】
上記構成のマグネット具１は、マグネット具本体１０からキャップ部材２０を取り外し、マグネット具本体１０を包装紙Ｗで包んだ後、キャップ部材２０を取り付け、この状態で、冷蔵庫の扉等の磁性体にくっつけて使用される。
【００３２】
すなわち、まず、マグネット具本体１０の前壁１１、及び４つの側壁１２ａ〜１２ｄを包装紙Ｗで覆い、包装紙Ｗの端部を、マグネット具本体１０の周端縁１２ｅに沿って内側の開口部１２ｆに向けて折り込む。この際、包装紙Ｗの端部が開口部１２ｆ全体を覆ってしまうので、図２に示すように、開口部１２ｆの中央に相当する部分を切除して、マグネット具本体１０側の脚部１４，１４や係合爪１５，１５を露出させる。
【００３３】
つづいて、キャップ部材２０の筒状部２３ａの内側にマグネット３０とスペーサ４０とを入れる。
【００３４】
次に、マグネット３０及びスペーサ４０が落ちないように、キャップ部材２０を持ち、マグネット具本体１０側の係合爪１５，１５に対して、キャップ部材２０側の係合孔２２ａ，２２ａの向きが合うように、つまり、マグネット具本体１０に対してキャップ部材２０を４５度回転させた状態で、そのまま、マグネット具本体１０の一対の脚部１４，１４及び本体側筒状部１３に、キャップ部材２０側の筒状部２３ａを挿入する。これにより、マグネット具本体１０側の脚部１５，１５がキャップ部材２０側の係合孔２２ａ，２２ａを通過する。係合爪１５，１５を係合孔２２ａ，２２ａに通過させた後、キャップ部材２０を回転させる。これにより、マグネット具本体１０側の脚部１４，１４が、キャップ部材２０側の回転溝２２ｂ，２２ｂに沿って回転し、ストッパ２２ｃ，２２ｃに当接して停止する。以上で、係合動作が終了する。この結果、マグネット具本体１０を包んだ包装紙Ｗの端部を、マグネット具本体１０側の周端縁１２ｅと、キャップ部材２０側のベース板２１との間に挟持して、包装紙Ｗを確実に保持することができる。その後、マグネット３０の磁力を利用して、冷蔵庫の扉等の磁性体にくっつけることにより、包装紙Ｗを装飾品あるいは嗜好物として有効に再利用することができる。
【００３５】
以上の実施形態では、マグネット具１が四角錐台である場合を例にして説明したが、マグネット具１の形状は、これ以外の任意の形状、例えば、六角錐台，八角錐台等の角錐台形状、円錐台、また、三角柱，四角柱，六角柱，八角柱等の角柱形状、円柱形状としてもよい。
【００３６】
上述のように、マグネット具本体１０を非包装物（例えばチョコレート，キャラメル等の内容物）と略同形に形成すれば、マグネット具１を包装紙Ｗで包んで磁性体にくっつけると、非包装物を食する前の包装紙Ｗで包まれた状態と略同じになり、あたかも、食する前のものがそのまま磁性体にくっついているように見えるので、興趣性をさらに高めることができる。また、マグネット具１に対して包装紙Ｗのサイズが好適なものとなり、さらに、包装紙Ｗが非包装物に合わせてデザインされているので、この包装紙でマグネット具１を包むと、そのデザインがマグネット具１の形状にあったものとなる。
【符号の説明】
【００３７】
１  マグネット具
１０  マグネット具本体
１２ｅ  周端縁
１４  脚部
１５  係合爪
２０  キャップ部材
２２ａ  係合孔
２３  マグネット保持部
２３ａ  筒状部
２３ｂ  ストッパ
３０  マグネット
４０  スペーサ
Ｋ  係合部
Ｗ  包装紙
【図１】
2012009666.tif 000003
【図２】
2012009666.tif 000004
【図３】
2012009666.tif 000005
【図４】
2012009666.tif 000006
【図５】
2012009666.tif 000007